(57)【要約】      （修正有）【課題】設定変更をホスト装置などからの設定情報の入力によらず容易に行うことができる小切手スキャナーを提供する。【解決手段】小切手スキャナー３は、スキャナー１１と、スキャナー１１による読取位置を経由する搬送路に沿ってシート状媒体を搬送する搬送機構と、スキャナー１１を駆動制御して読取位置を通過するシート状媒体の表面を読み取って画像情報を取得する画像情報取得部４５と、画像情報に識別マークが含まれているか否かを判別する判別部４６と、識別マークが含まれている場合には、画像情報を解析して当該画像情報から設定情報を取得する設定情報取得部４７と、設定情報が取得されると当該設定情報に基づいて設定を行う設定部４８と、を有する。【選択図】図４
2017078977.tif 000002
【特許請求の範囲】
【請求項１】
シート状媒体を読み取るスキャナーと、
前記スキャナーによる読取位置を経由して前記シート状媒体を搬送する搬送機構と、
前記スキャナーを駆動制御して前記読取位置を経由して搬送される前記シート状媒体の表面を読み取って画像情報を取得する画像情報取得部と、
前記画像情報に識別マークが含まれているか否かを判別する判別部と、
前記識別マークが含まれている場合には、前記画像情報を解析して当該画像情報から設定情報を取得する設定情報取得部と、
取得される前記設定情報に基づいて設定を行う設定部と、
を有することを特徴とする小切手スキャナー。
【請求項２】
請求項１において、
前記画像情報に前記識別マークが含まれていない場合には、前記画像情報を外部の機器に出力する出力部を、有することを特徴とする小切手スキャナー。
【請求項３】
請求項１または２のうちのいずれかの項において、
前記設定情報は、前記スキャナーによる前記シート状媒体の読み取り範囲を設定する範囲設定情報が含まれることを特徴とする小切手スキャナー。
【請求項４】
小切手スキャナーと、
前記小切手スキャナーを設定するための設定シートと、
を備え、
前記設定シートは、その表面に前記小切手スキャナーの設定情報を示す画像と、当該設定シートと小切手とを識別するための識別マークと、を有し、
前記小切手スキャナーは、スキャナーと、前記スキャナーによる読取位置を経由してシート状媒体を搬送する搬送機構と、前記スキャナーを駆動制御して前記読取位置を通過する前記シート状媒体の表面を読み取って画像情報を取得する画像情報取得部と、前記画像情報に前記識別マークが含まれているか否かを判別する判別部と、前記識別マークが含まれている場合には、前記画像情報を解析して当該画像情報から設定情報を取得する設定情報取得部と、前記設定情報が取得されると当該設定情報に基づいて設定を行う設定部と、を有することを特徴とする小切手スキャナーセット。
【請求項５】
請求項４において、
前記識別マークは、２次元コードであることを特徴とする小切手スキャナーセット。
【請求項６】
請求項４または５において、
前記識別マークは、前記小切手スキャナーの設定情報を示す画像より先に読取位置を経由する位置に設けられることを特徴とする小切手スキャナーセット。
【請求項７】
請求項４ないし６のうちのいずれかの項において、
前記設定シートは、その表面に、前記設定情報を担持する２次元コードを有することを特徴とする小切手スキャナーセット。
【請求項８】
請求項４ないし６のうちのいずれかの項において、
前記設定シートは、マークシートであることを特徴とする小切手スキャナーセット。
【請求項９】
スキャナーによる読取位置を経由してシート状媒体を搬送し、
前記読取位置において前記シート状媒体の表面を読み取って画像情報を取得し、
前記画像情報に識別マークが含まれているか否かを判別し、
前記識別マークが含まれている場合には、前記画像情報を解析して当該画像情報から設定情報を取得し、
前記設定情報に基づいて設定を行うことを特徴とする小切手スキャナーの制御方法。
【請求項１０】
請求項９において、
前記画像情報に前記識別マークが含まれていない場合には、前記画像情報を外部の機器に出力することを特徴とする小切手スキャナーの制御方法。
【発明の詳細な説明】
【技術分野】
【０００１】
本発明は、小切手から画像情報を取得する小切手スキャナー、小切手スキャナーセット、および、小切手スキャナーの制御方法に関する。
【背景技術】
【０００２】
小切手が持ち込まれた金融機関では、小切手を小切手スキャナーに掛け、小切手に印刷されている磁気インク文字を磁気的に読み取り、取得した磁気情報に基づいて決済処理を行う。また、金融機関では、磁気インク文字の読み取りと並行して、小切手スキャナーによって小切手の表面を光学的に読み取り、取得した画像情報を決済の証拠として保存する。このような小切手スキャナーは、特許文献１に記載されている。
【０００３】
スキャナーを用いて光学的に読み取った画像情報を解析して、当該画像情報から機器の設定情報などを取得する技術は、特許文献２、３に記載されている。
【先行技術文献】
【特許文献】
【０００４】
【特許文献１】特開２０１３−７０２２５号公報
【特許文献２】特開２００４−２６６８３３号公報
【特許文献３】特開平１１−１９２７６３号公報
【発明の概要】
【発明が解決しようとする課題】
【０００５】
金融機関に持ち込まれる小切手には、大きさや記載事項のフォーマットの異なる複数の種類がある。このため、小切手の処理を開始する際には、小切手スキャナーに接続されたホスト装置から小切手スキャナーに設定情報を送信して、小切手の表面の読取範囲などを読取対象の小切手の種類に適合するものに設定する必要がある。従って、複数種類が混在する大量の小切手を連続的に処理する場合には、連続処理の途中で小切手の種類が変わると、連続処理を一時的に停止してホスト装置から設定作業を行い、しかる後に、連続処理を再開することを繰り返さなければならない。
【０００６】
本発明の課題は、このような点に鑑みて、設定変更をホスト装置などからの設定情報の入力によらず行うことができる小切手スキャナーを提供することにある。
【課題を解決するための手段】
【０００７】
上記の課題を解決するために、本発明の小切手スキャナーは、シート状媒体を読み取るスキャナーと、前記スキャナーによる読取位置を経由して前記シート状媒体を搬送する搬送機構と、前記スキャナーを駆動制御して前記読取位置を経由して搬送される前記シート状媒体の表面を読み取って画像情報を取得する画像情報取得部と、前記画像情報に識別マークが含まれているか否かを判別する判別部と、前記識別マークが含まれている場合には、前記画像情報を解析して当該画像情報から設定情報を取得する設定情報取得部と、取得される前記設定情報に基づいて設定を行う設定部と、を有することを特徴とする。
【０００８】
本発明では、読取対象の小切手の種類に適合した設定を小切手スキャナーに施す際には、小切手スキャナーに設定シートを掛ける。これにより、小切手スキャナーは、小切手と設定シートとを判別し、設定シートから読み取った画像情報から設定情報を取得して、取得した設定情報に基づいて自己を設定する。従って、小切手スキャナーの設定変更をホスト装置からの設定情報の入力によらず容易に行うことができる。よって、大量の小切手の連続処理を行う場合には、処理を行う小切手の束の中に設定シートを挿入して、これらを小切手スキャナーに掛ければ、小切手スキャナーは自己の設定を変更しながら各小切手を適切に処理できる。
【０００９】
本発明において、前記画像情報に前記識別マークが含まれていない場合には、前記画像情報を外部の機器に出力する出力部を、有することが望ましい。すなわち、画像情報に識別マークが含まれていない場合には、シート状媒体が小切手であるとして、画像情報をホスト装置などに出力（送信）するものとすることができる。
【００１０】
本発明において、前記設定情報は、前記スキャナーによる前記シート状媒体の読み取り範囲を設定する範囲設定情報が含まれるものとすることができる。このようにすれば、読取対象の小切手の形状や記載事項のフォーマットに対応させて読取範囲を設定できる。
【００１１】
次に、本発明の小切手スキャナーセットは、小切手スキャナーと、前記小切手スキャナーを設定するための設定シートと、を備え、前記設定シートは、その表面に前記小切手スキャナーの設定情報を示す画像と、当該設定シートと小切手とを識別するための識別マークと、を有し、前記小切手スキャナーは、スキャナーと、前記スキャナーによる読取位置を経由してシート状媒体を搬送する搬送機構と、前記スキャナーを駆動制御して前記読取位置を通過する前記シート状媒体の表面を読み取って画像情報を取得する画像情報取得部と、前記画像情報に前記識別マークが含まれているか否かを判別する判別部と、前記識別マークが含まれている場合には、前記画像情報を解析して当該画像情報から設定情報を取得する設定情報取得部と、前記設定情報が取得されると当該設定情報に基づいて設定を行う設定部と、を有することを特徴とする。
【００１２】
本発明では、読取対象の小切手の種類に適合した設定を小切手スキャナーに施す際には、小切手スキャナーに設定シートを掛ける。これにより、小切手スキャナーは、小切手と設定シートとを判別し、設定シートから読み取った画像情報から設定情報を取得して、取得した設定情報に基づいて自己を設定する。従って、小切手スキャナーの設定変更をホスト装置からの設定情報の入力によらず容易に行うことができる。よって、大量の小切手の連続処理を行う場合には、処理を行う小切手の束の中に設定シートを挿入して、これらを小切手スキャナーに掛ければ、小切手スキャナーは自己の設定を変更しながら各小切手を適切に処理できる。
【００１３】
本発明において、前記識別マークは、２次元コードとすることができる。このようにすれば、識別マーク自体に識別情報などの情報を保持させることができる。
【００１４】
本発明において、前記識別マークは、前記小切手スキャナーの設定情報を示す画像より先に読取位置を経由する位置に設けられることが望ましい。このようにすれば、識別マークが小切手スキャナーの設定情報を示す画像より後に読取位置を経由する位置に設けられる場合と比較して、画像情報に識別マークが含まれているか否かを判別する処理を早く開始できる。
【００１５】
本発明において、前記設定シートは、その表面に、前記設定情報を担持する２次元コードを備えることが望ましい。このようにすれば、画像情報に含まれるバーコードを解析することにより設定情報を容易に取得できる。また、２次元コードを用いれば、設定シートに多くの情報を保持させることができるので、小切手スキャナーの詳細な設定が可能となる。
【００１６】
本発明において、前記設定シートは、マークシートとしてもよい。このようにすれば、オペレーターがマークシートにマークを付することにより、読取対象の小切手に適合した新しい設定シートを作成できる。
【００１７】
次に、本発明の小切手スキャナーの制御方法は、スキャナーによる読取位置を経由してシート状媒体を搬送し、前記読取位置において前記シート状媒体の表面を読み取って画像情報を取得し、前記画像情報に識別マークが含まれているか否かを判別し、前記識別マークが含まれている場合には、前記画像情報を解析して当該画像情報から設定情報を取得し、前記設定情報に基づいて設定を行うことを特徴とする。
【００１８】
本発明によれば、読取対象の小切手の種類に適合した設定を小切手スキャナーに施す際には、小切手の種類に対応する設定情報が記録された設定シートを小切手スキャナーに掛ける。これにより、小切手スキャナーは、設定シートから取得した設定情報に基づいて設定を自己に施す。従って、小切手スキャナーの設定変更をホスト装置からの設定情報の入力によらず容易に行うことができる。
【００１９】
本発明において、前記画像情報に前記識別マークが含まれていない場合には、前記画像情報を外部の機器に出力することが望ましい。すなわち、画像情報に識別マークが含まれていない場合には、シート状媒体が小切手であるとして、画像情報をホスト装置などに出力（送信）するものとすることができる。
【図面の簡単な説明】
【００２０】
【図１】小切手処理システムの説明図である。
【図２】小切手スキャナーの内部機構の説明図である。
【図３】設定シートの説明図である。
【図４】小切手処理システムの制御系の概略ブロック図である。
【図５】小切手処理動作のフローチャートである。
【発明を実施するための形態】
【００２１】
以下に、図面を参照して、本発明を適用した小切手スキャナーを備える小切手処理システムを説明する。
【００２２】
（小切手処理システム）
図１は小切手処理システムの説明図である。図２は小切手スキャナーの内部機構の説明図である。小切手処理システム１は小切手２による決済処理を行い、金融機関の窓口などに設置される。図１に示すように、小切手処理システム１は、小切手スキャナー３と、小切手スキャナー３にケーブル４等で通信可能に接続されたホスト装置５を備える。金融機関に持ち込まれる小切手２の表面２ａには、磁気インクにより顧客の口座番号などを表した磁気インク文字７が印刷されている。小切手２には、大きさや記載事項のフォーマットが異なる複数の種類がある。
【００２３】
小切手スキャナー３は、図２に示すように、スキャナー１１と、磁気センサー１２と、スキャナー１１による画像読取位置（読取位置）Ａおよび磁気センサー１２による磁気読取位置Ｂを経由して延びる搬送路１３を備える。搬送路１３の一端には、複数枚の小切手２をセット可能な小切手供給部１４が連続し、他端には、処理が収納した小切手２が排出される小切手排出部１５が連続する。また、小切手スキャナー３は、小切手供給部１４にセットされた小切手２を搬送路１３に沿って搬送して画像読取位置Ａと磁気読取位置Ｂとを通過させる搬送機構１７を備える。搬送機構１７は搬送路１３に挿入された小切手２を挟持した状態で送り出す複数の搬送ローラー対１８と、搬送ローラー対１８を駆動する搬送モーター１９を備える。
【００２４】
スキャナー１１は、ＣＩＳ（ContactImageSensor）モジュールである。スキャナー１１は読取光照射部２１と読取部２２を備える。スキャナー１１は画像読取位置Ａを通過する小切手２に読取光照射部２１から読取光を照射し、読取部２２により小切手２からの反射光を読み取る。読取光照射部２１は小切手２の搬送方向Ｘと直交する上下方向に線状に設けられている。読取光照射部２１は赤色読取光、緑色読取光、青色読取光を照射可能である。読取部２２は読取光照射部２１に沿って上下方向に線状に設けられている。読取部２２はＣＭＯＳセンサーなどの撮像素子からなる。読取部２２は、小切手２に各読取光が照射されたタイミングで、画像読取位置Ａを通過する小切手２を上下方向に延びる１ライン毎、逐次、に読み取る。
【００２５】
磁気センサー１２はセンサー面１２ａを搬送路１３に向けて配置されている。磁気センサー１２は、磁気読取位置Ｂを通過する小切手２から磁気インク文字７を読み取る。
【００２６】
小切手供給部１４に複数枚の小切手２がセットされると、小切手スキャナー３は、搬送機構１７により小切手２を１枚ずつ搬送路１３に沿って搬送する。また、小切手スキャナー３は画像読取位置Ａを通過する小切手２からスキャナー１１により小切手２の表面２ａを読み取って画像情報を取得する。そして、小切手スキャナー３は、取得した小切手２の画像情報をホスト装置５に送信する。これと並行して、小切手スキャナー３は磁気読取位置Ｂを通過する小切手２から磁気センサー１２により磁気インク文字７を読み取って磁気情報（口座番号）を取得する。そして、小切手スキャナー３は取得した磁気情報をホスト装置５に送信する。
【００２７】
ここで、図１に示すように、小切手処理システム１では、小切手２の他に、設定シート３０が小切手スキャナー３によって処理される。図３は設定シート３０の説明図である。設定シート３０は、小切手スキャナー３の設定を行うためのものである。設定シート３０の表面３０ａには、設定シート３０と小切手２とを区別するための識別マーク３１と、設定情報コード３２が印刷されている。識別マーク３１および設定情報コード３２は２次元コードであり、本例では、バーコードである。識別マーク３１は、設定シート３０が搬送路１３を搬送される搬送方向Ｘの前側に設けられている。設定情報コード３２は、識別マーク３１よりも搬送方向Ｘの後側に設けられている。すなわち、識別マーク３１は、小切手スキャナー３の設定情報を示す設定情報コード（画像）３２より先に読取位置Ａを経由する位置に設けられる。
【００２８】
識別マーク３１には、識別マーク３１が付された設定シート３０による設定を管理するための管理情報が担持されている。管理情報は、例えば、当該設定シート３０を用いた設定に適合する小切手２の情報である。
【００２９】
設定情報コード３２には、設定情報が担持されている。設定情報には、読取対象となる小切手２のサイズを設定するサイズ設定情報が含まれる。また、設定情報には、スキャナー１１による小切手２の読み取り範囲を設定する範囲設定情報が含まれる。さらに、設定情報には、小切手２をカラーで読み取るか否かを設定するカラー設定情報が含まれる。カラー設定情報は、読取光照射部２１から照射する読取光の発光のタイミング、搬送機構１７による小切手２の搬送速度、および、出力する画像情報のデータの種類を設定する。画像情報のデータの種類としては、カラーデータ、グレースケールデータ、および、２値データがある。また、設定情報には、小切手２の表面２ａの全体を読み取って取得した画像情報から部分的に抽出する画像領域を指定するクロッピング領域が含まれる。クロッピング領域が指定された場合には、小切手２の表面２ａの全体の画像情報のうち指定されたクロッピング領域、或いは、指定されたクロッピング領域を除く領域が画像情報として取得される。
【００３０】
小切手スキャナー３の小切手供給部１４に設定シート３０がセットされると、小切手スキャナー３は搬送機構１７により設定シート３０を搬送路１３に沿って搬送する。そして、小切手スキャナー３はスキャナー１１により画像読取位置Ａを通過する設定シート３０の表面３０ａを読み取り、画像情報を取得する。また、小切手スキャナー３は、取得した画像情報から設定情報を取得し、この設定情報に基づいて自己を設定する。なお、設定シート３０には磁気インク文字７は印刷されていないので、設定シート３０が搬送路１３に沿って搬送されたときに磁気情報は取得されない。
【００３１】
（制御系）
図４は小切手処理システム１の制御系を示す概略ブロック図である。図４に示すように、小切手スキャナー３の制御系は、ＣＰＵなどを搭載する制御部４０を中心に構成されている。制御部４０には、ホスト装置５との間で通信を行うための通信インターフェースを備える通信部４１と、書き換え可能な不揮発性メモリーからなる記憶部４２が接続されている。また、制御部４０には、スキャナー１１、磁気センサー１２および搬送モーター１９が不図示のドライバーを介して接続される。
【００３２】
制御部４０は、搬送制御部４３、磁気情報取得送信部４４、画像情報取得部４５、判別部４６、設定情報取得部４７、設定部４８、および、出力部４９を備える。
【００３３】
搬送制御部４３は、搬送モーター１９を駆動制御して、搬送路１３に沿って小切手２を搬送する。
【００３４】
磁気情報取得送信部４４は、磁気センサー１２を駆動制御して磁気読取位置Ｂを通過する小切手２の磁気インク文字７を読み取って磁気情報を取得する。また、磁気情報取得送信部４４は、取得した磁気情報を、通信部４１を介してホスト装置５に送信する。
【００３５】
画像情報取得部４５は、スキャナー１１を駆動制御して画像読取位置Ａを通過するシート状媒体（小切手２および設定シート３０）を読み取って画像情報を取得する。すなわち、画像情報取得部４５は、スキャナー１１により１ライン毎、逐次、に読み取られる１ライン分の画像情報を逐次に画像メモリーに逐次に展開して、小切手２の表面２ａ、または、設定シート３０の表面３０ａの画像情報を得る。
【００３６】
判別部４６は、画像メモリーに展開される画像情報を監視して、識別マーク３１が含まれているか否かを判別する。ここで、設定シート３０上における識別マーク３１の位置は予め定めた所定の位置とされているので、判別部４６は画像メモリーにおける所定のメモリー領域を解析することにより、画像情報に識別マーク３１が含まれているか否かを判別する。また、識別マーク３１は、設定シート３０の搬送方向Ｘの前側に設けられ、設定シート３０全体の情報が読み取られるより前に、識別マーク３１が読み取られる。従って、判別部４６は、画像メモリーにシート状媒体の全体の画像情報が展開される前に、画像情報に識別マーク３１が含まれているか否かを判別できる。
【００３７】
設定情報取得部４７は、判別部４６が画像情報に識別マーク３１が含まれていると判断した場合に、小切手スキャナー３に掛けられたシート状媒体が設定シート３０であるとして、画像情報を解析して当該画像情報から設定情報を取得する。すなわち、設定情報取得部４７は、画像情報に含まれる設定情報コード３２（バーコード）を認識して、バーコードに担持された設定情報を復元して取得する。
【００３８】
設定部４８は、設定情報取得部４７が設定情報を取得すると、当該設定情報に基づいて小切手スキャナー３の設定を行う。また、ホスト装置５から制御部４０を介して設定情報が入力された場合に、当該設定情報に基づいて小切手スキャナー３の設定を行う。ここで、設定部４８は、記憶部４２における所定の記録領域に設定情報を書き込むことにより、小切手スキャナー３を設定する。また、設定部４８は、記憶部４２における所定の記録領域に設定情報を上書きすることにより、小切手スキャナー３の設定を変更する。
【００３９】
出力部４９は、判別部４６が画像情報に識別マーク３１が含まれていないと判断した場合に、小切手スキャナー３によって処理されたシート状媒体が小切手２であるとして、画像情報をホスト装置５に出力する（送信する）。
【００４０】
次に、ホスト装置５は、ＣＰＵなどを搭載する制御部５０を中心に構成されている。制御部５０は、小切手スキャナー制御部５１および決済処理部５２を備える。制御部５０には記憶部５３が接続されている。小切手スキャナー制御部５１は、小切手スキャナー３に小切手処理動作を開始させる小切手処理命令を送信する。また、小切手スキャナー制御部５１は、小切手スキャナー３に設定情報を送信することにより、小切手スキャナー３の設定を行う。
【００４１】
決済処理部５２は、小切手スキャナー３から受信した磁気情報などに基づいて決済処理を行う。また、決済処理部５２は、小切手スキャナー３から送信された画像情報を、決済の日付、磁気情報および入力情報などを含む決済情報と関連付けて記憶部５３に記憶保持する。
【００４２】
（小切手処理動作）
図５は小切手処理動作のフローチャートである。ユーザーが小切手２の決済処理を行う際には、小切手２を小切手スキャナー３の小切手供給部１４にセットして、ホスト装置５から小切手スキャナー３に小切手処理命令を送信する。ここで、大量の小切手２の連続処理を行う場合には、処理を行う小切手２の束の中に設定シート３０を挿入しておく。例えば、小切手２の束を種類毎に小分けして、小分けした小切手２の束の前に（小切手２よりも先に搬送路１３に侵入する側に）、小分けした小切手２の種類に対応する設定情報を備える設定シート３０を挿入しておく。
【００４３】
ホスト装置５から小切手処理命令が入力されると（ステップＳＴ１）、小切手スキャナー３は搬送機構１７によりシート状媒体を１枚ずつ搬送路１３に沿って搬送する。小切手スキャナー３は画像読取位置Ａを通過するシート状媒体からスキャナー１１により小切手２の表面２ａを読み取り、画像情報の取得を開始する。また、小切手スキャナー３は磁気読取位置Ｂを通過するシート状媒体が磁気インク文字７を備えている場合には、磁気センサー１２により磁気インク文字７を読み取って磁気情報を取得する。（ステップＳＴ２）
【００４４】
ここで、判別部４６は、画像メモリーに展開される画像情報を監視して、識別マーク３１が含まれているか否かを判別する（ステップＳＴ３）。
【００４５】
そして、画像情報に識別マーク３１が含まれていない場合には、小切手スキャナー３は、シート状媒体が小切手２であると判別する（ステップＳＴ３：Ｙｅｓ）。従って、小切手スキャナー３は、取得した画像情報および読み取った磁気情報をホスト装置５に送信する（ステップＳＴ４）。ここで、ホスト装置５は、小切手スキャナー３が取得した磁気情報を受信し、磁気情報に基づいて決済処理を行う。また、ホスト装置５は、小切手スキャナー３から送信された画像情報を決済処理の証拠として記憶部５３に記憶保持する。
【００４６】
一方、画像情報に識別マーク３１が含まれている場合には（ステップＳＴ３：Ｎｏ）、小切手スキャナー３は、シート状媒体が設定シート３０であると判別する。従って、小切手スキャナー３は、画像情報を解析して当該画像情報から設定情報を取得する（ステップＳＴ５）。また、小切手スキャナー３は、取得した設定情報を記憶部４２に上書きして、自己の設定を変更する（ステップＳＴ６）。これにより、小切手スキャナー３には、当該設定シート３０の次に搬送される小切手２に適合した設定が施される。従って、次に搬送される小切手２を適切に読み取ることができる。
【００４７】
本例によれば、小切手スキャナー３は、小切手２と設定シート３０とを判別する。そして、小切手スキャナー３は、設定シート３０から読み取った画像情報から設定情報を取得して、取得した設定情報に基づいて自己を設定する。従って、小切手スキャナー３の設定変更をホスト装置５からの設定情報の入力によらず行うことができる。よって、大量の小切手２の連続処理を行う場合には、処理を行う小切手２の束の中に設定シート３０を挿入して、これらを小切手スキャナー３に掛ければ、小切手スキャナー３は自己の設定を変更しながら各小切手２を適切に処理できる。
【００４８】
また、本例では、バーコードに設定情報を担持させている。従って、画像情報に含まれるバーコードを解析することにより設定情報を取得できる。よって、設定情報の取得が容易である。また、バーコードなどの２次元コードからなる設定情報コード３２を用いれば、設定シート３０に多くの情報を保持させることができる。よって、小切手スキャナー３の詳細な設定が可能となる。
【００４９】
さらに、本例では、識別マーク３１は設定シート３０における搬送方向Ｘの前側に設けられているので、識別マーク３１が搬送方向Ｘの後側に設けられている場合と比較して、画像情報に識別マーク３１が含まれているか否かを判別する処理を早く開始できる。
【００５０】
（その他の実施の形態）
設定シート３０はマークシートとしてもよい。この場合、マークシートにおいてマークを付した位置によって設定情報を表わせば、読取対象の小切手２に適合した新しい設定シート３０を容易に作成できる。また、設定シート３０に設定情報を示す文字や数字を記載してもよい。この場合には、設定情報取得部４７は、画像情報から記載された文字を認識して設定情報を取得する。さらに、識別マーク３１を２次元コードとした場合には、識別マーク３１に設定情報を保持させてもよい。
【符号の説明】
【００５１】
１…小切手処理システム、２…小切手、２ａ…表面、３…小切手スキャナー、４…ケーブル、５…ホスト装置、７…磁気インク文字、１１…スキャナー、１２…磁気センサー、１２ａ…センサー面、１３…搬送路、１４…小切手供給部、１５…小切手排出部、１７…搬送機構、１８…搬送ローラー対、１９…搬送モーター、２１…読取光照射部、２２…読取部、３０…設定シート、３０ａ…表面、３１…識別マーク、３２…設定情報コード、４０…制御部、４１…通信部、４２…記憶部、４３…搬送制御部、４４…磁気情報取得送信部、４５…画像情報取得部、４６…判別部、４７…設定情報取得部、４８…設定部、４９…出力部、５１…小切手スキャナー制御部、５２…決済処理部、５３…記憶部、Ａ…画像読取位置、Ｂ…磁気読取位置、Ｘ…搬送方向。
【図１】
2017078977.tif 000003
【図２】
2017078977.tif 000004
【図３】
2017078977.tif 000005
【図４】
2017078977.tif 000006
【図５】
2017078977.tif 000007